(57)【要約】【課題】首廻りに設けた衿部の折り返し部を縫合し、同縫合部により折り目を固定して着用時或いは洗濯時における折り目の型崩れするのを防止するようにしたもので、着用感に優れた衣類に関する。【解決手段】身頃首回り縁部に略台形をなす衿を接合し、該衿を首周り方向に沿って外側に折り返し、その稜線に沿って平行になるように縫合し、該衿部を展開してもその折り目が畝状に固定されるように構成したもので、折り目の縫合、固定により、衿部の型崩れの発生が防止され、且つアイロン掛け作業が容易となり、更に衿部の皺防止や品質の安定化が図られ、外観や着用感等の優れた衣類が得られるのである。【選択図】図１
2008031574.tif 000002
【特許請求の範囲】
【請求項１】
身頃首回り縁部に略台形をなす衿を接合し、該衿を首周り方向に沿って外側に折り返して構成される衣類において、該衿部を折り返し部に沿って折り返してその稜線に沿って平行になるよう縫合し、該衿部を展開してもその折り目が畝状に固定されるように構成したことを特徴とする衣類。
【請求項２】
身頃首回り縁部に略台形をなす衿を接合し、該衿を首周り方向に沿って外側に折り返して構成される衣類において、該衿部および身頃前部の上縁部である小衿部に渡る折り返し部に沿って、該衿部および該小衿部を折り返してその稜線に沿って平行になるよう縫合し、該衿部および該小衿部を展開してもその折り目が畝状に固定されるように構成したことを特徴とする衣類。
【請求項３】
上記衣類は寝衣、洋服であることを特徴とする請求項１または請求項２に記載の衣類。
【発明の詳細な説明】
【技術分野】
【０００１】
本発明は、身頃首回り縁部に略台形をなす衿を接合し、該衿部を折り返し部に沿って折り返し、且つその稜線に沿って縫合することにより、畝状に固定された折り目が得られ、着用時や洗濯時における折り目の型崩れが防止され、しかも着用感に優れた衣類に関する。
【背景技術】
【０００２】
従来、パジャマなどの衣類については、衿部の形状を固定する機構はなく、過酷な条件で洗濯された場合、衿部の型崩れが発生し、それをアイロン掛け作業で除去するには、多くの手数や時間がかかるものであった。
【０００３】
【特許文献１】特開平９−１９５１０１号公報
【発明の開示】
【発明が解決しようとする課題】
【０００４】
解決しようとする問題点は、前記の如く、パジャマなどの衣類を着用する際、洗濯時などに衿部の型崩れが生じ易く、この衿部の型崩れをアイロン掛け作業で除去するには、多くの手数や時間を要し、作業自体が煩雑となる欠点があった。また衿部の型崩れにより、衣類の外観や着用感が低下する恐れがあり、着用する点で改善すべき点が多くみられるのである。
【課題を解決するための手段】
【０００５】
本発明は、身頃首回り縁部に略台形をなす衿を接合し、該衿を首周り方向に沿って外側に折り返して構成される衣類において、該衿部を折り返し部に沿って折り返してその稜線に沿って平行になるよう縫合し、該衿部を展開してもその折り目が畝状に固定されるよう構成することにより、衿部の型崩れの発生が未然に防止され、従ってアイロン掛け作業が容易で、簡素化され、更に衿部の型崩れの改善により、衿部の皺防止や品質の安定化が図られ、外観や着用感等の優れた衣類が得られるのである。
【０００６】
また本発明は、身頃首回り縁部に略台形をなす衿を接合し、該衿を首周り方向に沿って外側に折り返して構成される衣類において、該衿部および身頃前部の上縁部である小衿部に渡る折り返し部に沿って、該衿部および該小衿部を折り返してその稜線に沿って平行になるよう縫合し、該衿部および該小衿部を展開してもその折り目が畝状に固定されるように構成することにより、衿部の型崩れの発生が未然に防止され、従ってアイロン掛け作業が容易で、簡素化され、更に衿部の型崩れの改善により、衿部の皺防止や品質の安定化が図られ、外観や着用感等の優れた衣類が得られるのである。
【０００７】
また本発明は、寝衣、洋服等の衣類に適用される。
ここで寝衣とは、パジャマやナイトガウン等の就寝時に着用する襟付きの衣類をいう。また洋服とは、ポロシャツ、ジャケット、オーバコート、運動服、作業服、つなぎ服、背広服、ワイシャツ、ブラウス等の襟付きの衣服をいう。
【発明の効果】
【０００８】
本発明は、身頃首回り縁部に略台形をなす衿を接合し、該衿部を折り返し部に沿って折り返し、且つその稜線に沿って縫合してその折り目を畝状に固定することにより、衿部の型崩れの発生が防止されてアイロン掛け作業が容易となり、また折り目部分の生地の磨耗が少なくなって耐着用性や着用寿命が向上し、更に衿部の成形性が保持されるので、衣類の外観や着用感が向上し、品質や保形性などに優れた衣類が得られるのである。
【０００９】
具体的な適用例としては、病院やホテル等で使用される業務用のパジャマなど、大量のリネン作業が必要な衣類における利用が考えられる。従来、これらの業務用のパジャマにおいては洗濯後の衿の変形が目立たないよう表面変化のあるワッフル生地やポリエステル混率の高い素材の生地を使用されることが多いが、当該発明の改善により衿の変形が抑制されるため、表面がフラットなサテン等の上質素材の生地や綿混率の高い素材の生地を使用することも可能になる。
【発明を実施するための最良の形態】
【００１０】
本発明は、身頃首回り縁部に略台形をなす衿を接合し、該衿を首周り方向に沿って外側に折り返し、且つ同折り返し線で形成される稜線に沿って平行になるよう縫合し、該衿部を展開しても衿部の型崩れが防止され、且つ衿部の成形性が保持され、品質や着用感などに優れた衣類が得られるようにしたもので、以下図例に基づいて説明する。図１〜図６は、実施例１による衿部の構造例であり、パジャマ上衣１における衿部の構造を図示したもので、３、４は夫々左右の身頃前部、即ち左側前身頃及び右側前身頃であり、６は後身頃、７はテーラー型の衿部（衿部本体）、１４、１４は夫々周知の小衿部、８、９は夫々前立部で左、右の身頃前部３、４の端縁側部を夫々内側に折り返して上前及び下前の前立部８、９を形成するようにしてあり、１１、１１は夫々左上前及び下前の前立部８、９裏面側の折返し生地、１２、１２は夫々身頃前部３、４の上縁部、即ち前立部８、９の上方部に設けた周知の突出部で、同突出部１２、１２を利用して、小衿部１４、１４を形成するようにしてあり、１６、１７は夫々前立部８、９に設けたボタン及び釦穴、１８、１８は前記折返し生地１１、１１の端縁部を夫々左右の前身頃３、４側に縫着した縫着部である。
【００１１】
また図４〜図６の如く、身頃首回り縁部に周知の手段で、略台形をなす衿７を接合、縫着し、且つ該衿７を首周り方向に沿って外側に折り返すようにしてある。また衿部７は、図例では略台形状で、且つ二重構造の生地２０、２１から構成されており、且つ衿部７を首周り方向に沿って外側に折り返す際、折り返しによる稜線、即ち折り目２３が形成されるのである。尚、図４の如く、二重構造の生地２０、２１を一体的に半折状に外側に折り返し、生地２０、２１が折り返えされた状態で、折り返えしによる稜線、即ち折り目２２に沿って平行状に同折り返し部を縫合２５することにより、衿部７には、畝状若しくは凸状に固定された折り目２３が形成されるのである。また衿部７の折り返し部を平らに展開した場合でも、折目２３が、縫合部２５により畝状若しくは凸状に固定された状態にあり、従って確実に固定された状態にある衿部７の折目２３は、洗濯時においても型崩れを生じる恐れが全くないのである。
【００１２】
更に周知の小衿部１４、１４においては、前記の如く衿部７に折り目２３を設けて縫合２５する際、図３の如く小衿部１４、１４においても連続して折り目２３を設けて縫合２５するようにしてある。即ち左右の身頃前部３、４及び折り返し生地１１、１１を夫々重合した状態で、身頃前部３、４の上縁部である突出部１２、１２側の部位を一体的に外側に折り返し、同折り返し線で形成される稜線、即ち折り目２３に沿って平行状に同折り返し部を縫合２５することにより、小衿部１４、１４の折り目２３には、前記同様に縫合部２５により確実に固定された畝状若しくは凸状の折り目２３が形成されるのである。尚、小衿部１４の折り返し部を平らに展開した場合でも、凸状の折目２３が、縫合部２５により畝状若しくは凸状に確実に固定されているので、従って確実に固定された状態にある小衿部１４の折目２３は、前記同様に洗濯時においても型崩れを生じる恐れが全くないのである。
【００１３】
また図４、図５において、衿部７の外側衿部において、二重構造の生地２０、２１の下方端縁部を夫々互いに内側に折り曲げて重合、縫着２７、２８するようにしてある。また衿部７の内側衿部において、二重構造の生地２０、２１の端縁部を夫々内側に折り曲げると共に、二重構造の生地２０、２１の端縁部間に後身頃６の生地を挿入、挟持して周知の手段で衿部７を身頃首回り縁部に一体的に適宜縫着２９、３０するようにしている。
【００１４】
図７〜図１０は、実施例２による衿部の構造例であり、ポロシャツ５０の場合を例にして、衿部の構造を図示したものであり、５１は首廻りに接合して設けた衿部、５３は前身頃、５４は後身頃、５５は袖部、５７、５８は夫々上前及び下前の前立部、５９、６０は夫々ボタン穴及び釦である。また図９、図１０の如く、衿部５１は、略台形状で、且つ二重構造の生地６２、６３から構成されており、衿部５１を首周り方向に沿って外側に折り返す際、折り返えしによる稜線、即ち折り目６５に沿って平行状に同折り返し部を縫合６６することにより、衿部５１には、畝状若しくは凸状に固定された折り目６５が形成されるのである。また衿部５１の折り返し部を平らに展開した場合でも、折り目６５が、縫合部６６により、畝状若しくは凸状に固定された状態にあり、従って確実に固定された状態にある衿部５１の折り目６５は、洗濯時においても型崩れを生じる恐れが全くないのである。
【００１５】
更に図９、図１０の如く、衿部５１の外側衿部においては、二重構造の生地６２、６３の下方端縁部を夫々互いに内側に折り曲げて重合、縫着６８、６９するようにしてある。また衿部５１の内側衿部において、二重構造の生地６２、６３の端縁部を夫々互いに内側に折り曲げると共に、二重構造の生地６２、６３の端縁部間に更に後身頃５４の生地を挿入、挟持して周知の手段で一体的に縫着７０、７１するようにしている。
【００１６】
また図１１は、前述の如く、衿部７における生地２０、２１が、半折り状に折り返えされ、折り返えしによる稜線、即ち折り目２３に沿って平行状に同折り返し部を縫合することにより、衿部７に畝状若しくは凸状に固定された折り目２３が形成される際の縫合による第１応用例を図示したものである。尚、図１１の場合は本縫ミシンによる縫合例で、衿部７を構成する二重構造の生地２０、２１を一体的に半折状に折り返し、同折り返しによる稜線、即ち折り目２３に沿って平行状に縫合８０する際、本縫ミシンにより縫合８０する場合を示したものである。また図１２は、衿部７に畝状若しくは凸状に固定された折り目２３を形成する際の縫合の第２応用例を図示したもので、図１２の場合は片面２本針縫ミシンによる縫合例で、衿部７を構成する二重構造の生地２０、２１が、半折り状に折り返えされ、折り返えしによる稜線、即ち折り目２３に沿って平行状に同折り返し部を縫合８１する際、片面２本針縫ミシンにより縫合８１する場合を示したものである。
【００１７】
また図１３は、衿部７に畝状若しくは凸状に固定された折り目２３を形成する際の縫合の第３応用例を図示したもので、図１３の場合は両面２本針縫ミシンによる縫合例で、衿部７を構成する二重構造の生地２０、２１が、半折り状に折り返えされ、折り返えしによる稜線、即ち折り目２３に沿って平行状に同折り返し部を縫合８２する際、両面２本針縫ミシンにより縫合８２する場合を示したものである。
【００１８】
尚、前述の如く、衿部７に畝状若しくは凸状に固定された折り目２３を形成する際、縫合する場合の縫合位置２５については、折り目固定の作用効果が高いこと、また縫合部２５の見栄えへの影響を考慮し、例えば図１１の如く、折り目２３の折返し頂部から縫合部８０に至る距離Ｌが、２〜５ｍｍの縫合位置であることが望ましい。但し、折返し頂部直近で縫合した場合、折曲げ部の肌触りが固い感触になる傾向があるため、布生地の厚み、剛性、生地組織等による肌触りと折り目固定の作用効果とのトレードオフにより、折り目２３の折返し頂部から縫合部８０に至る距離Ｌが、１ｍｍ〜１０ｍｍの範囲で調整可能である。
【００１９】
また布生地の厚み、剛性、生地組織等により、衿部７の端縁部等の形状が再現しにくい場合、当該発明に係る、衿部７の畝状若しくは凸状に固定された折り目２３を形成するのに加え、補助的な縫合を行うこともできる。補助的な縫合とは、例えば、衿部７と小衿部１４の縫い目に合わせて、衿部７及び小衿部１４を左側前身頃３または右側前身頃４と縫合、固定すること等である。
【産業上の利用可能性】
【００２０】
衣類としては、パジャマ上衣以外にアウターウェア上衣、ワイシャツなど各種の広範囲の商品に適用可能である。
【図面の簡単な説明】
【００２１】
【図１】本発明の第１実施例におけるパジャマ上衣の前身側概略正面図である。
【図２】本発明の第１実施例における衿部を立て展開した状態のパジャマ上衣の衿部の概略正面図である。
【図３】本発明の第１実施例における衿部を立て展開した状態のパジャマ上衣の右側衿部の概略拡大正面図である。
【図４】図１におけるＰ−Ｐ断面による概略断面図である。
【図５】図２におけるＱ−Ｑ断面による概略断面図である。
【図６】図３におけるＲ−Ｒ断面による概略断面図である。
【図７】本発明の第２実施例におけるポロシャツの前身側概略正面図である。
【図８】本発明の第２実施例よる衿部を立て展開した状態のポロシャツの衿部の概略拡大正面図である。
【図９】図７におけるＳ−Ｓ断面による概略断面図である。
【図１０】図８におけるＴ−Ｔ断面による概略断面図である。
【図１１】本発明による衿部において、縫合による折り目を畝状に固定する場合の縫合の第１応用例による衿部の概略断面図である。
【図１２】本発明による衿部において、縫合による折り目を畝状に固定する場合の縫合の第２応用例による衿部の概略斜視図である。
【図１３】本発明による衿部において、縫合による折り目を畝状に固定する場合の縫合の第３応用例による衿部の概略斜視図である。
【符号の説明】
【００２２】
３    左側前身頃  
４    右側前身頃
６    後身頃
７    衿部
８    前立部
９    前立部
２３    折り目
２５    縫合部
【図１】
2008031574.tif 000003
【図２】
2008031574.tif 000004
【図３】
2008031574.tif 000005
【図４】
2008031574.tif 000006
【図５】
2008031574.tif 000007
【図６】
2008031574.tif 000008
【図７】
2008031574.tif 000009
【図８】
2008031574.tif 000010
【図９】
2008031574.tif 000011
【図１０】
2008031574.tif 000012
【図１１】
2008031574.tif 000013
【図１２】
2008031574.tif 000014
【図１３】
2008031574.tif 000015